(57)【要約】【課題】車両の燃費を向上させることができる自動変速機のローコストブレーキを提供する。【解決手段】本発明の自動変速機のローコストブレーキは、複数のメインプレート；前記複数のメインプレートと相互に交差して配置される複数の摩擦プレート；前記メインプレートと前記摩擦プレートとの間に摩擦力が発生するように前記メインプレートを選択的に加圧するピストン；及び前記メインプレート及び前記摩擦プレートに復原力を提供するリアクションプレート；を含み、前記メインプレートは、ボディー部；前記ボディー部の外周面に第１設定角度ごとに形成される複数の歯を有する歯部；及び前記ボディー部の外周面に第２設定角度ごとに形成され、作動流体の流動性を向上させるために歯を有しない無歯部；を含むことを特徴とする。【選択図】図３
2005180700.tif 000002
【特許請求の範囲】
【請求項１】
自動変速機のローコストブレーキにおいて、
複数のメインプレート；
前記複数のメインプレートと相互に交差して配置される複数の摩擦プレート；
前記メインプレートと前記摩擦プレートとの間に摩擦力が発生するように前記メインプレートを選択的に加圧するピストン；及び
前記メインプレート及び前記摩擦プレートに復原力を提供するリアクションプレート；を含み、
前記メインプレートは、
ボディー部；
前記ボディー部の外周面に第１設定角度ごとに形成される複数の歯を有する歯部；及び
前記ボディー部の外周面に第２設定角度ごとに形成され、作動流体の流動性を向上させるために歯を有しない無歯部；
を含むことを特徴とする自動変速機のローコストブレーキ。
【請求項２】
前記複数のメインプレートは、
前記メインプレートのうちの中心部に位置するセンターメインプレート；及び
前記メインプレートのうちの両側に位置するサイドメインプレート；を含み、
前記センタープレートは前記サイドメインプレートとは異なるボディー外径を有することを特徴とする請求項１に記載の自動変速機のローコストブレーキ。
【請求項３】
前記センターメインプレートは、前記サイドメインプレートより小さいボディー外径を有することを特徴とする請求項２に記載の自動変速機のローコストブレーキ。
【請求項４】
前記センターメインプレートは、前記サイドメインプレートより小さい厚さを有することを特徴とする請求項２に記載の自動変速機のローコストブレーキ。
【請求項５】
前記プレートの前記歯の端には溝が形成されることを特徴とする請求項１に記載の自動変速機のローコストブレーキ。
【請求項６】
前記リアクションプレートは、
ボディー部；及び
前記ボディー部の外周面に前記第１設定角度ごとに形成される複数の歯を有する歯部；
を含むことを特徴とする請求項１に記載の自動変速機のローコストブレーキ。
【請求項７】
前記リアクションプレートの前記歯の端には溝が形成されることを特徴とする請求項６に記載の自動変速機のローコストブレーキ。
【発明の詳細な説明】
【技術分野】
【０００１】
本発明は自動変速機に関し、より詳しくは自動変速機のローコストブレーキに関する。
【背景技術】
【０００２】
一般に、自動変速機に装着されるローコストブレーキは、エンジンブレーキ作動時に１速及び２速に変換する時に作動する。
前記ローコストブレーキは、フォワードブレーキが作動する時に共に作動するように、フォワードワンウェイクラッチのインナーレース１０４に連結される。
そして、前記ローコストブレーキは、ピストン、３個のメインプレート、前記メインプレートと交差して配置される３個の摩擦プレート、そしてリアクションプレートから構成される。
したがって、前記ローコストブレーキは、供給される作動流体の油圧によって左右に移動しながら作動要素を解除したり結合させる役割を果たす。
しかし、従来のローコストブレーキは作動流体の流動空間が不足していたため、前記ローコストブレーキの作動が遅延する問題があった。
即ち、前記作動要素の解除が遅延して、燃料を過多に浪費する問題があった。
【特許文献１】特開平１０−２５９８６１号公報
【発明の開示】
【発明が解決しようとする課題】
【０００３】
本発明は従来技術の問題点を解決するためのものであって、本発明の目的は車両の燃費を向上させることができる、自動変速機のローコストブレーキを提供することにある。
【課題を解決するための手段】
【０００４】
本発明の自動変速機のローコストブレーキは、複数のメインプレート；前記複数のメインプレートと相互に交差して配置される複数の摩擦プレート；前記メインプレートと前記摩擦プレートとの間に摩擦力が発生するように前記メインプレートを選択的に加圧するピストン；及び前記メインプレート及び前記摩擦プレートに復原力を提供するリアクションプレート；を含み、前記メインプレートは、ボディー部；前記ボディー部の外周面に第１設定角度ごとに形成される複数の歯を有する歯部；及び前記ボディー部の外周面に第２設定角度ごとに形成され、作動流体の流動性を向上させるために歯を有しない無歯部；を含むことを特徴とする。
【０００５】
また、前記複数のメインプレートは、前記メインプレートのうちの中心部に位置するセンターメインプレート；及び前記メインプレートのうちの両側に位置するサイドメインプレート；を含み、前記センタープレートは前記サイドメインプレートとは異なるボディー外径を有するのが好ましい。
また、前記センターメインプレートは、前記サイドメインプレートより小さいボディー外径を有し、前記センターメインプレートは、前記サイドメインプレートより小さい厚さを有するのが好ましい。
【０００６】
前記プレートの前記歯の端には溝が形成されるのが好ましく、前記リアクションプレートは、ボディー部；及び前記ボディー部の外周面に前記第１設定角度ごとに形成される複数の歯を有する歯部；を含むのが好ましい。
また、前記リアクションプレートの前記歯の端には溝が形成されるのが好ましい。
【発明の効果】
【０００７】
本発明によれば、ローコストブレーキが無歯部、溝、特定された厚さ及びボディー外径を有するので、作動流体の流動性が向上する利点がある。
また、作動要素が前記作動流体によって急速に解除されるので、車両の燃費が向上する利点がある。また、変速時に変速感が向上する利点がある。
そして、本発明によれば、ローコストブレーキが無歯部、溝、特定された厚さ及びボディー外径を有するので、重量及び単価を低減できる利点がある。
【発明を実施するための最良の形態】
【０００８】
以下、図面を参照して、本発明の実施例による自動変速機のローコストブレーキを具体的に説明する。
【実施例】
【０００９】
図１は本発明の実施例による自動変速機のローコストブレーキを示した構成図である。
本発明の実施例による自動変速機のローコストブレーキは、図１に示すように、フォワードブレーキ１００が作動する時に共に作動するように、フォワードワンウェイクラッチ１０２のインナーレース１０４に連結される。
また、前記本発明の実施例による自動変速機のローコストブレーキは、ピストン２００、複数のメインプレート３００、複数の摩擦プレート４００、そしてリアクションプレート５００を含む。
複数のメインプレート３００と複数の摩擦プレート４００とは相互に交差して配置される。
ピストン２００は、摩擦プレート４００に摩擦力を発生させるために、メインプレート３００及び摩擦プレート４００を選択的に加圧する。
リアクションプレート５００は、メインプレート３００及び摩擦プレート４００に復原力を提供する。
【００１０】
図２は本発明の実施例による自動変速機のローコストブレーキにおいて、ピストンを示した側断面図である。
ピストン２００は、限定された空間で作動流体の流動性を向上させるために、従来のピストンより小さい厚さで設計される。
一例として、従来のピストンの厚さがｔ９．３〜１０．９±０．１ｍｍならば、本発明のピストン２００の厚さ（Ｔ）は大略ｔ８．６〜１０．２±０．０５ｍｍになる。このような特定された厚さ（Ｔ）は、実験を通じて得られる値であり、従来と同一性能を維持しながら前記作動流体の流動性を向上させることができる最小値である。
前記のように、ピストン２００の特定された厚さ（Ｔ）が従来のピストンの厚さに比べて縮少されるので、作動流体の流動空間は縮少された厚さだけさらに増加する。
【００１１】
したがって、作動流体の流動性が向上して、本発明の実施例による自動変速機のローコストブレーキはドラッグ現象を未然に防止できるようになる。
図３は本発明の実施例による自動変速機のローコストブレーキにおいて、メインプレートを示した正面図である。
メインプレート３００は、図３に示すように、車輪形状のボディー部３０１、ボディー部３０１の外周面のうちの一部に形成される歯部３０２、そしてボディー部３０１の外周面のうちの他の一部に形成される無歯部３０３を含む。
歯部３０２には複数の歯が形成され、特に前記歯は円周方向に沿って第１設定角度（一例として、１０°）ごとに形成される。
【００１２】
無歯部３０３は、作動流体の流動性を向上させるために歯を有せず、ボディー部３０１の外周面に円周方向に沿って第２設定角度（一例として、１２０°）ごとに形成される。
さらに、複数のメインプレート３００は、図１に示すように、メインプレートのうちの中心部に位置するセンターメインプレート３２０、メインプレートのうちの両側に位置する第１、第２サイドメインプレート３１０、３３０を含む。
第１サイドメインプレート３１０、センターメインプレート３２０、及び第２サイドメインプレート３３０は前述したボディー部３０１、歯部３０２、そして無歯部３０３を各々有する。
【００１３】
また、第１サイドメインプレート３１０、センターメインプレート３２０、及び第２サイドメインプレート３３０の歯の端には、作動流体の流動性を向上させるために、内側に凹んだ溝３０４が形成される。特に、溝３０４の内角は大略６０゜である。
また、第１、第２サイドメインプレート３１０、３３０は二つとも同じボディー外径（Ｂ．Ｄ）及び厚さを有する。反面、第１、第２サイドメインプレート３１０、３３０との間に位置したセンターメインプレート３２０は第１、第２サイドメインプレート３１０、３３０とは異なるボディー外径（Ｂ．Ｄ）または厚さを有する。
具体的に、センターメインプレート３２０は、作動流体の流動性をさらに向上させるために、第１、第２サイドプレート３１０、３３０より小さいボディー外径（Ｂ．Ｄ）または厚さで設計される。
したがって、歯の外径（Ｔ．Ｄ）をそのままにした状態でボディー外径（Ｂ．Ｄ）だけが縮少されるので、歯間に作動流体の流動空間をさらに確保することができる。
【００１４】
特に、前記のように流動空間が確保されたセンターメインプレート３２０が第１、第２サイドメインプレート３１０、３３０との間に位置するので、第１サイドメインプレート［３１０、または第２サイドメインプレート３３０］から第２サイドメインプレート［３３０、または第１サイドメインプレート３１０］に移動する作動流体の移動時間を減らすことができる。
一例として、第１、第２サイドメインプレート（３１０、３３０）のボディー外径（Ｂ．Ｄ）及び厚さが各々φ１４１．４±０．１５ｍｍ及びｔ２．０ｍｍ（従来のメインプレートの厚さ及びボディー外径と同じ）ならば、センターメインプレート３２０のボディー外径（Ｂ．Ｄ）及び厚さは各々大略φ１３８．４±０．１５ｍｍ及びｔ１．８ｍｍになる。このような特定されたボディー外径及び厚さは、実験を通じて得られる値であり、従来と同一性能を維持しながら作動流体の流動性を向上させることができる最小値である。
【００１５】
したがって、本発明の実施例によるローコストブレーキは、無歯部３０３、溝３０４、特定されたボディー外径（Ｂ．Ｄ）及び厚さによって作動流体の流動性を向上させることができる。
図４は本発明の実施例による自動変速機のローコストブレーキにおいて、リアクションプレートを示した正面図である。
リアクションプレート５００は、図４に示すように、車輪形状のボディー部５０１、ボディー部５０１の外周面に形成される歯部５０２を含む。歯部５０２は、複数の歯を有し、特に歯は円周方向に沿って第１設定角度（一例として、１０°）ごとに形成される。
【００１６】
また、リアクションプレート５００の歯の端には、作動流体の流動性を向上させるために、内側に凹んだ溝５０３が形成される。特に溝５０３の内角は大略６０゜である。
したがって、リアクションプレート５００は、溝５０３によって、作動流体の流動性を向上させることができるようになる。
一方、図５は本発明の実施例による自動変速機のローコストブレーキと従来のローコストブレーキとの摩擦値を比較するために、回転数と摩擦値との関係を示したグラフである。
本発明の実施例による自動変速機のローコストブレーキは、図５のグラフに示すように、従来のローコストブレーキに比べて摩擦値を５％低減させることができる。
特に、前記グラフは、全ての変数［前記無歯部３０３、前記溝３０４、５０３、前記特定された厚さ（Ｔ）、前記特定されたボディー外径（Ｂ．Ｄ）］が適用された実験を通じて得た結果である。
【００１７】
以上で、本発明に関する好ましい実施例を説明したが、本発明は前記実施例に限定されず、本発明の属する技術範囲を逸脱しない範囲での全ての変更が含まれる。
【図面の簡単な説明】
【００１８】
【図１】本発明の実施例による自動変速機のローコストブレーキを示した構成図である。
【図２】本発明の実施例による自動変速機のローコストブレーキにおいて、ピストンを示した側断面図である。
【図３】本発明の実施例による自動変速機のローコストブレーキにおいて、メインプレートを示した正面図である。
【図４】本発明の実施例による自動変速機のローコストブレーキにおいて、リアクションプレートを示した正面図である。
【図５】本発明の実施例による自動変速機のローコストブレーキと従来のローコストブレーキとの摩擦値を比較するために、回転数と摩擦値との関係を示したグラフである。
【符号の説明】
【００１９】
１００  フォワードブレーキ
１０２  フォワードワンウェイクラッチ
１０４  インナーレース
２００  ピストン
３００  メインプレート
３０１、５０１  ボディー部
３０２、５０２  歯部
３０３  無歯部
３０４、５０３  溝
３１０  第１サイドメインプレート
３２０  センターメインプレート
３３０  第２サイドメインプレート
４００  摩擦プレート
５００  リアクションプレート
Ｔ．Ｄ  歯の外径
Ｂ．Ｄ  ボディー  外径
【図１】
2005180700.tif 000003
【図２】
2005180700.tif 000004
【図３】
2005180700.tif 000005
【図４】
2005180700.tif 000006
【図５】
2005180700.tif 000007